(57)【要約】【課題】画素数の異なる電子内視鏡を接続する場合でも、解像度を低下させることなく、ハイビジョン映像を簡単な構成で得ると共に、ハイビジョン用記録装置への制御信号の伝送構造を簡略化する。【解決手段】ＣＣＤの画素数が異なる電子内視鏡１０を接続するプロセッサ装置１６に、パソコン等の表示規格のデジタル映像信号を形成しこれを差動信号として出力するＤＶＩ回路２８を設け、このＤＶＩ回路２８の出力側にハイビジョン方式変換器３７を着脱可能に接続する。このハイビジョン方式変換器３７では、入力デジタル映像信号の画素数を検出し、この画素数に応じて映像信号をハイビジョンテレビ信号へ変換し出力する。また、操作部からの記録制御信号を符号化し、上記ＤＶＩ回路２８の映像信号に関する制御信号の伝送処理の中に組み込んで伝送することにより、ハイビジョン映像を記録装置に録画・記録する。【選択図】図１
2005304584.tif 000002
【特許請求の範囲】
【請求項１】
被観察体を撮像するための固体撮像素子の画素数が異なる各種の電子内視鏡をプロセッサ装置に接続可能に構成し、上記固体撮像素子で得られた信号からデジタル映像信号を形成すると共に、このデジタル映像信号を外部記録装置へ記録する電子内視鏡装置において、
上記プロセッサ装置に配置され、上記固体撮像素子の画素数に対応させかつ外部コンピュータ用表示規格に合わせたデジタル映像信号を形成すると共に、このデジタル映像信号をパラレル−シリアル変換し、差動信号として出力する差動信号出力部と、
この差動信号出力部に対し着脱可能に接続され、この差動信号出力部から入力した差動信号に基づいて上記デジタル映像信号の画素数を検出し、この画素数に応じて映像信号をハイビジョンテレビ信号へ変換し出力するハイビジョン方式変換器と、
上記記録装置に対するデジタル映像信号の記録制御信号をパラレル−シリアル変換した後に上記差動信号出力部から上記ハイビジョン方式変換器へシリアル伝送し、このハイビジョン方式変換器に配置されたコントロール端子から出力する記録制御信号出力手段と、を設けたことを特徴とする電子内視鏡装置。
【請求項２】
上記記録制御信号出力手段は、マイコンの制御に基づき、上記差動信号出力部では、上記記録制御信号をパラレル−シリアル変換しかつ上記デジタル映像信号に関する制御信号と共に符号化し、このシリアル記録制御信号を差動信号として出力し、上記ハイビジョン方式変換器では、入力差動信号で得られた上記記録制御信号を復号化しかつシリアル−パラレル変換する構成としたことを特徴とする上記請求項１記載の電子内視鏡装置。
【発明の詳細な説明】
【技術分野】
【０００１】
本発明は電子内視鏡装置、特に固体撮像素子の画素数の異なる各種の電子内視鏡が使用される環境で、ハイビジョンテレビ方式のモニタへも被観察体映像を出力することができる電子内視鏡装置の構成に関する。
【背景技術】
【０００２】
電子内視鏡装置は、固体撮像素子であるＣＣＤ（Charge Coupled Device）等を電子内視鏡（電子スコープ）の先端部に搭載しており、このＣＣＤは光源装置からの光の照明に基づいて被観察体を撮像する。そして、この電子内視鏡のＣＣＤで得られた撮像信号をプロセッサ装置へ出力し、このプロセッサ装置で映像処理を施すことにより、被観察体の映像をモニタへ表示したり、静止画等を記録装置へ記録したりできるものである。
【０００３】
一般に、上記の被観察体映像は、標準テレビジョン方式であるＮＴＳＣ方式用モニタ（縦横比３：４）に表示されるが、例えば特開平４−２５３８３０号公報に示されるように、走査線数が約２倍となる高品位のハイビジョンテレビ（ＨＤＴＶ）方式のモニタ（縦横比９：１６）に被観察体映像を表示することも試みられている。電子内視鏡装置では、ＣＣＤの出力信号から通常のＮＴＳＣ方式の信号（アナログ信号）が形成されるので、このＮＴＳＣ信号をハイビジョンテレビ信号へ変換することが行われる。
【０００４】
一方、電子内視鏡装置で得られた被観察体の静止画（デジタル信号）は、記録装置である録画装置やパーソナルコンピュータ（パソコン）等のファイリング装置（記録媒体）に記録し、後にテレビモニタやパソコン用モニタへ表示して観察することが行われており、ＣＣＤにおいては高解像度となる高画素数のものが用いられる傾向となっている。
【特許文献１】特開平４−２５３８３０号公報
【発明の開示】
【発明が解決しようとする課題】
【０００５】
上述のように、近年では固体撮像素子であるＣＣＤが高解像度化、高画素数化されていることから、ハイビジョンテレビ方式による映像表示おいても、従来と比較すると画質が向上した被観察体映像を観察できるという利点があるが、上述のようにＮＴＳＣ信号をハイビジョンテレビ信号へ変換するのでは、ＮＴＳＣ映像信号の解像度に制限され、高画質化されたＣＣＤの解像度を十分に生かすことができないという問題がある。
【０００６】
また、電子内視鏡には上述のように異なる画素数のＣＣＤが搭載されており、このＣＣＤ画素数の相違や高画素数化の変遷に対応してハイビジョンテレビ信号への変換回路をプロセッサ装置内に配置し又は更新（交換）するのでは、コスト的に無駄があり、装置が高価になるという問題がある。
更に、医療現場で使用される機器には、ＥＭＣ（Electro-Magnetic Compatibility）や電気安全性について厳しい規格が要求されており、ハイビジョンテレビ信号への変換のために、パソコン等の専用の大きな装置において上記の医療用の規格が満たされるようにすることも非現実的である。
【０００７】
また、電子内視鏡装置で得られた映像をハイビジョンテレビ方式へ変換して観察する際には、この映像をハイビジョン用記録装置へ録画・記録できるようにすることが要請され、この場合には、電子内視鏡側からの制御信号（録画・記録の開始、停止等）を記録装置へ伝送することが必要となる。しかも、この録画・記録の制御信号の伝送においては、構造の簡略化、電気的安全性の観点から可能な限り少ない伝送線で構成することが求められる。
【０００８】
本発明は上記問題点に鑑みてなされたものであり、その目的は、パーソナルコンピュータ等へ供給するためにデジタル処理した映像出力を利用し、画素数の異なる固体撮像素子を搭載する電子内視鏡を接続する場合でも、解像度を低下させることなく、ハイビジョン映像を簡単な構成かつ低コストにて得ることができ、またこのハイビジョン映像を録画・記録する場合の記録装置への制御信号の伝送構造を簡略化することが可能となる電子内視鏡装置を提供することにある。
【課題を解決するための手段】
【０００９】
上記目的を達成するために、請求項１に係る発明は、被観察体を撮像するための固体撮像素子の画素数が異なる各種の電子内視鏡をプロセッサ装置に接続可能に構成し、上記固体撮像素子で得られた信号からデジタル映像信号を形成すると共に、このデジタル映像信号を外部記録装置へ記録する電子内視鏡装置において、上記プロセッサ装置に配置され、上記固体撮像素子の画素数に対応させかつ外部コンピュータ用表示規格に合わせたデジタル映像信号を形成すると共に、このデジタル映像信号をパラレル−シリアル変換し、差動信号として出力する差動信号出力部と、この差動信号出力部に対し着脱可能に接続され、この差動信号出力部から入力した差動信号に基づいて上記デジタル映像信号の画素数を検出し、この画素数に応じて映像信号をハイビジョンテレビ信号へ変換し出力するハイビジョン方式変換器と、に対するデジタル映像信号の記録制御信号をパラレル−シリアル変換した後に上記差動信号出力部から上記ハイビジョン方式変換器へシリアル伝送し、このハイビジョン方式変換器に配置されたコントロール端子から出力する記録制御信号出力手段と、を設けたことを特徴とする。
請求項２に係る発明は、上記記録制御信号出力手段を、マイコンの制御に基づき、上記差動信号出力部では、上記記録制御信号をパラレル−シリアル変換しかつ上記デジタル映像信号に関する制御信号と共に符号化し、このシリアル記録制御信号を差動信号として出力し、上記ハイビジョン方式変換器では、入力差動信号で得られた上記記録制御信号を復号化しかつシリアル−パラレル変換する構成としたことを特徴とする。
【００１０】
上記の構成によれば、固体撮像素子であるＣＣＤには各種の画素（ピクセル）数を持つものが存在することから、パーソナルコンピュータ等へ出力するための差動信号出力部（例えばＤＶＩ）では、６４０（水平方向）×４８０（垂直方向）の画素のＶＧＡ（Video Graphics Array）、１０２４×７６８画素のＸＧＡ（eXtended Graphics Array）、１２８０×９６０画素又は１２８０×１０２４画素のＳＸＧＡ（Super XGA）等の規格に合わせたデジタル映像信号が形成され、この映像信号がパラレル−シリアル変換された後、差動信号としてパソコン用モニタ等へ出力される。この差動信号であるデジタル映像信号がハイビジョン方式変換器へ供給されると、その映像信号の画素数が検出され、この画素数に応じたハイビジョンテレビ信号が形成される。即ち、ＣＣＤの全ての画素情報を生かす形で、ハイビジョン信号が得られる。従って、このハイビジョン方式変換器をプロセッサ装置に接続するだけで、ハイビジョン用モニタで被観察体映像（動画又は静止画）を観察することができる。
【００１１】
そして、例えば電子内視鏡操作部の録画・記録スイッチを操作すると、マイコンから出力された記録操作信号が差動信号出力部からハイビジョン方式変換器のマイコンへシリアル伝送され、これによってハイビジョン映像が記録装置に記録される。ここで、請求項３の場合は、デジタル映像信号と共に供給されるデジタル制御信号の符号化制御において、デフォルトの予約符号以外の余っている符号が利用され、この符号に記録制御信号が割り当てられる。従って、この記録制御信号は、ＤＶＩ等の差動信号出力部のデジタル映像信号を出力するための伝送ラインを通してシリアル信号としてハイビジョン方式変換器へ伝送されることになり、シリアル伝送ケーブル内に記録制御信号のための専用の伝送ラインを設ける必要がない。
【発明の効果】
【００１２】
本発明の電子内視鏡装置のハイビジョン方式変換器によれば、デジタル映像をパーソナルコンピュータ等へ供給するための差動信号出力部を利用して、採用されるＣＣＤ画素数（解像度）が異なる電子内視鏡を接続する場合でも、ＣＣＤが持つ解像度を低下させることなく、ハイビジョン映像を簡単な構成かつ低コストで形成し、ハイビジョン用モニタや記録装置に出力することができる。また、記録制御信号をシリアル伝送したり、差動信号出力部において映像信号に関する制御信号を伝送する符号化制御の中に、記録制御信号を組み込んだりすることにより、記録装置への制御信号の伝送構造を簡略化することが可能となる。
【発明を実施するための最良の形態】
【００１３】
図１乃至図３には、実施例に係る電子内視鏡装置の構成が示されており、まず図２に基づいて全体の構成を説明する。図２において、電子内視鏡（電子スコープ）１０には、その先端部に固体撮像素子であるＣＣＤ１１が設けられており、このＣＣＤ１１としては、４０万画素、８０万画素、１３０万画素等、各種のものが搭載される。また、このＣＣＤ１１から出力された撮像信号をサンプリングする相関二重サンプリング（ＣＤＳ）回路１２及び電子内視鏡１０の識別情報や映像処理情報等を格納するメモリ（ＥＥＰＲＯＭ）１３等が設けられる。
【００１４】
更に、この電子内視鏡１０の操作部（又はプロセッサ装置１６の操作部）に、録画・記録スイッチ１４が設けられており、この録画・記録スイッチ１４にて外部機器である録画装置（ＨＤＴＶ用レコーダ）やファイリング装置に内視鏡（アナログ又はデジタル）画像を記録することができる。なお、この電子内視鏡１０には、図示していない光源装置の光がライトガイドを介して供給されており、先端部から照明光を出力することにより被観察体が上記ＣＣＤ１１で撮像される。そして、上述した画素数（若しくはその画素数に対応したＣＣＤの転送方式）の異なるＣＣＤ１１を搭載する各種の電子内視鏡１０は、プロセッサ装置１６に着脱自在に接続可能となっている。
【００１５】
このプロセッサ装置１６には、Ａ／Ｄ変換器１７、映像信号に対し各種の信号処理をするための第１ＤＳＰ（デジタル信号プロセッサ）１９、第２ＤＳＰ２０及び第３ＤＳＰ２１、上記ＤＳＰ１９，２０の何れかを選択するためのセレクタ（Ｓ）１８、上記ＣＣＤ１１から第１及び第２ＤＳＰ１９，２０までの回路に対し同期信号やタイミング信号を供給するタイミングジェネレータ２２、水晶発振器を有するＰＬＬ回路２３、各種の制御を実行するマイコン２４、上記第３ＤＳＰ２１等に同期信号やタイミング信号を供給するための同期信号発生回路（ＳＳＧ）２５が設けられる。
【００１６】
また、上記第３ＤＳＰ２１の後段には、デジタル映像信号を形成するための第４ＤＳＰ２７、そして差動信号出力部であるＤＶＩ（Digital Visual Interface）回路２８が設けられており、このＤＶＩ回路２８は、パソコン用モニタ等へ出力するための表示規格、例えばＶＧＡ、ＸＧＡ、ＳＸＧＡ等に対応した映像信号を形成し、その後にパラレル−シリアル変換すると共に符号化し、このシリアル信号を差動信号としてパソコン用モニタやファイリング装置等へ出力する。なお、上記ＤＶＩは、ＤＤＷＧ（Digital Display Working Group）が設定した高速スピードのディスプレイ用インターフェースで、データフォーマットにＴＭＤＳ（Transition Minimized Differential Signaling）を採用する。
【００１７】
一方、上記第４ＤＳＰ２７には、信号変換回路２９を介してＵＳＢ出力部３０やネット出力部３１が設けられており、このＵＳＢ出力部３０、ネット出力部３１からはそれぞれの出力形態に合わせた信号が出力される。更に、上記第３ＤＳＰ２１の後段には、デジタル処理された映像信号をアナログ信号へ変換するアナログ信号プロセッサ３３、輝度（Ｙ）信号と色差（Ｃ）信号を出力するＹ／Ｃ信号出力部３４、Ｒ（赤），Ｇ（緑），Ｂ（青）の信号を出力するＲＧＢ出力部３５が設けられる。
【００１８】
そして、上記のＤＶＩ回路２８の出力部（端子）に着脱可能に接続する形で、ハイビジョン方式変換器３７が設けられ、このハイビジョン方式変換器３７の出力が外部機器であるＨＤＴＶ（ハイビジョンテレビ）用モニタやＨＤＴＶ用レコーダ（記録装置）へ接続される。上述した録画・記録スイッチ１４から出力される記録制御信号は、信号ライン１００のように、マイコン２４からＤＶＩ回路２８へ供給され、このＤＶＩ回路２８からハイビジョン方式変換器３７を介して上記ＨＤＴＶ用レコーダへ出力される。
【００１９】
図１には、上記ＤＶＩ回路２８とハイビジョン方式変換器３７内の詳細な構成が示されており、ＤＶＩ回路２８では、上述した各表示規格の映像を形成する信号処理部３９と、この信号処理部３９から出力されるＲＧＢの信号、同期信号（Ｈ，Ｖ）及び制御信号（Ｃ０〜Ｃ３）等のパラレル信号をシリアル信号へ変換し、かつ符号化を行う送信部（エンコーダー／シリアライザー）４０Ａ，４０Ｂ，４０Ｃが設けられる。このＤＶＩ回路２８は、シリアル伝送ケーブル４１を介してハイビジョン方式変換器３７に接続され、このハイビジョン方式変換器３７には、上記３つの送信部４０Ａ，４０Ｂ，４０Ｃに対応して受信信号を復号化し、かつシリアル信号をパラレル信号へ変換する受信部（リカバリー／デコーダー）４２Ａ，４２Ｂ，４２Ｃが設けられる。
【００２０】
また、ＩＣＡ（Inter Channel Alignment）部４３、映像の画素数を検出してハイビジョンテレビ信号を形成するＨＤＴＶ信号変換部（ＦＰＧＡ−Filed Programmable Gate Array 回路）４４、各種の制御を実行するマイコン４５、入力した映像信号を一時的に記憶するフレームメモリ４６が設けられる。更に、上記ＨＤＴＶ信号変換部４４には、コネクタ４９との間に輝度（Ｙ）信号、色差信号であるＰｒ，Ｐｂ信号に対応してＤ／Ａ変換器４８Ａ，４８Ｂ，４８Ｃが設けられ、上記コネクタ４９には、モニタやＨＤＴＶ用レコーダへのコントロール端子４９ｍを含む記録装置への接続端子が配置される。
【００２１】
更に、記録制御信号伝送構造の第１例として、このＤＶＩ回路２８、シリアル伝送ケーブル４１及びハイビジョン方式変換器３７には、図２の伝送ライン１００に連結される記録制御信号の伝送ライン１０１が配置されており、この伝送ライン１０１はハイビジョン方式変換器３７のマイコン４５から伝送ライン１０２を介してコネクタ４９内のＨＤＴＶ用レコーダのコントロール端子４９ｍに接続される。
【００２２】
図３には、上記ＨＤＴＶ信号変換部４４内の構成が示されており、このＨＤＴＶ信号変換部４４には、水平同期信号（Ｈ）、垂直同期信号（Ｖ）、映像信号及びクロック信号を入力して映像信号の画素数を検出する画素数検出回路４４ａ、ハイビジョン映像形成のための同期信号発生回路４４ｂ、上記フレームメモリ４６に対し映像信号の書込み及び読出しを制御するメモリコントローラ４４ｃ、このメモリコントローラ４４ｃから出力されたＲＧＢ信号をハイビジョン映像であるＹ，Ｐｒ，Ｐｂ信号に変換する信号変換器４４ｄが設けられる。
【００２３】
図４及び図５には、実施例における上記ＤＶＩ回路２８と上記ハイビジョン方式変換器３７とを接続する差動形回路の構成が示されている。図４はパルストランスを用いたものであり、この例では、図示のようにＤＶＩ回路２８内の差動形ドライバとして、論理回路５２ａ〜５２ｃ、トランジスタ５３ａ，５３ｂ、例えば４ｋＶ以上の耐圧を維持するパルストランス５４等を設け、ハイビジョン方式変換器３７内の差動形レシーバとして、コンパレータ５５ａ，５５ｂ等を設ける。また、図５はコンデンサを用いたものであり、この例では、図示のようにＤＶＩ回路２８内に、差動出力回路５７等を設け、ハイビジョン方式変換器３７内に、例えば４ｋＶ以上の耐圧を維持するコンデンサ５８ａ，５８ｂと差動入力回路５９等を設ける。
【００２４】
このような差動形回路によれば、上記パルストランス５４やコンデンサ５８ａ，５８ｂの耐圧を内視鏡装置で求められる４ｋＶ以上に設定するので、別途アイソレーション回路を設けることなく差動信号入出力のため回路を利用して、ＤＶＩ２８とハイビジョン方式変換器３７とを商用電源等から電気的に分離することができ、電子内視鏡１０の安全性を容易に確保することが可能となる。
【００２５】
実施例は以上の構成からなり、その作用を図６の参照の下に説明する。まず、この電子内視鏡装置では、図２のＣＣＤ１１にて被観察体内が撮像され、その撮像信号はＣＤＳ回路１２にてサンプリングされ、Ａ／Ｄ変換器１７でデジタル信号へ変換された後に、セレクタ１８へ供給される。このセレクタ１８では、接続された電子内視鏡１０の種類に応じて第１ＤＳＰ１９と第２ＤＳＰ２０の何れかを選択する。例えば、電子内視鏡１０とプロセッサ装置１６との通信によってマイコン２４がメモリ１３内の情報を読み取ることにより、ＣＣＤ１１の画素数（若しくはその画素数に対応したＣＣＤの転送方式）に応じ、第１ＤＳＰ１９（インターラインスキャンの場合）か、第２ＤＳＰ２０（プログレッシブスキャンの場合）を選択する。
【００２６】
この第１ＤＳＰ１９又は第２ＤＳＰ２０と第３ＤＳＰ２１では、各種の映像処理が施されることになり、この第３ＤＳＰ２１の出力は、第４ＤＳＰ２７とアナログ信号プロセッサ３３へ供給される。この第４ＤＳＰ２７では、デジタル出力のための映像信号が形成されており、この映像信号は、信号変換回路２９、ＵＳＢ出力部３０及びネット出力部３１を介して外部へ出力されると共に、ＤＶＩ回路２８を介してパソコン用モニタ等に出力することができる。一方、上記アナログ信号プロセッサ３３では、アナログ出力のための映像信号が形成され、Ｙ／Ｃ信号出力部３４を介してＹ信号とＣ信号が出力されると共に、ＲＧＢ出力部３５を介してＲ，Ｇ，Ｂの各色信号が出力される。
【００２７】
一方、上記ＤＶＩ回路２８の出力がハイビジョン方式変換器３７へ供給されると、このハイビジョン方式変換器３７ではハイビジョンテレビ信号が形成される。即ち、図１に示されるＤＶＩ回路２８の信号処理部３９によって、ＣＣＤ１１の画素数に対応した例えば６４０×４８０（ＶＧＡ）、１０２４×７６８（ＸＧＡ）、１２８０×９６０又は１２８０×１０２４（ＳＸＧＡ）等の表示規格の映像信号が形成される。そして、この信号処理部３９から出力されたパラレル信号［Ｂ（青），Ｇ（緑），Ｒ（赤），Ｈ（水平同期信号），Ｖ（垂直同期信号），Ｃ０，Ｃ１，Ｃ２，Ｃ３（制御信号）等］は、送信部４０Ａ〜４０Ｃで符号化されると共にシリアル信号に変換され、シリアル伝送ケーブル４１を介してハイビジョン方式変換器３７へ出力される。図１のように、送信部４０Ａから送信されたＢ信号とＨ，Ｖ等の信号は受信部４２Ａで、送信部４０Ｂから送信されたＧ信号とその他の信号は受信部４２Ｂで、送信部４０Ｃから送信号されたＲ信号とその他の信号は受信部４２Ｃで受信される。これらの受信部４２Ａ〜４２Ｃでは、受信信号が復号化されると共に元のパラレル信号へ変換され、この信号がＩＣＡ回路４３を介してＨＤＴＶ信号変換部（ＦＰＧＡ）４４へ供給される。
【００２８】
このＨＤＴＶ信号変換部４４では、入力された映像信号が図３のメモリコントローラ４４ｃを介してフレームメモリ４６に格納されると同時に、画素数検出回路４４ａにて入力映像信号の画素数が例えば水平同期信号や垂直同期信号によって検出される。即ち、図６（Ａ）に示されるように、ハイビジョン方式の水平同期信号（Ｈ）は１９２０画素分、垂直同期信号（Ｖ）は１０８０画素分の長さとなるが、例えば変換器３７へ入力された映像信号の水平同期信号によって１２８０の水平画素が検出（カウント）されたとき、又は垂直同期信号によって９６０の垂直画素が検出されたときは、１２８０×９６０のＳＸＧＡの映像（画像）であると判断される。同様に、その他では、６４０の水平画素又は４８０の垂直画素が検出されたときは６４０×４８０のＶＧＡの映像、１０２４の水平画素又は７６８の垂直画素が検出されたときは１０２４×７６８のＸＧＡの映像、１２８０の水平画素又は１０２４の垂直画素が検出されたときは１２８０×１０２４のＳＸＧＡの映像であると判断される。そして、この画素数の検出結果が同期信号発生回路４４ｂとメモリコントローラ４４ｃに供給されることにより、メモリコントローラ４４ｃでは画素数に応じてフレームメモリ４６からの映像信号の読出し制御が行われる。
【００２９】
例えば、上記１２８０×９６０画素の映像の場合は、図６（Ｂ）に示されるように、垂直方向の１〜６０までは全ての水平画素に黒色を割り当て、垂直方向６１番目については、水平方向の３２１〜１６００において上記１２８０×９６０画素の映像信号を割り当るというようにして、（３２１，６１）、（１６００，６１）、（３２１，１０２０）、（１６００，１０２０）の画素で囲まれる範囲の映像信号（ＲＧＢ信号）が読み出される。その他の画素には、黒色が割り当てられる。そして、信号変換器４４ｄでは、ＲＧＢ信号がＹ，Ｐｒ，Ｐｂ信号へ変換され、このＹ，Ｐｒ，Ｐｂ信号と同期信号がＨＤＴＶ用モニタやＨＤＴＶ用レコーダへ出力される。このこのようにして、図６（Ｃ）に示されるように、ＨＤＴＶ用モニタには、１２８０×９６０画素の被観察体映像を中心領域に配置したハイビジョン映像、即ち１９２０×１０８０ｉ（インターレース）の画素の映像（フォーマットＤ４）が表示される。
【００３０】
また、上記のハイビジョンテレビ方式の映像は、コネクタ４９に接続されているＨＤＴＶ用レコーダへ記録することができる。即ち、図２の録画・記録スイッチ１４により録画の開始、停止等の操作が行われると、この記録制御信号はプロセッサ装置１６側のマイコン２４にてシリアル信号へ変換され、伝送ライン１００，１０１（シリアル伝送ケーブル４１）を介してハイビジョン方式変換器３７側のマイコン４５へ供給される。そして、このマイコン４５が記録制御信号を伝送ライン１０２及びコントロール端子４９ｍを介してＨＤＴＶ用レコーダへ供給することにより、このレコーダにハイビジョン映像が録画・記録される。
【００３１】
また、上記の記録制御信号は、上記伝送ライン１０１によらず、ＤＶＩの映像信号の処理の中に組み込んで伝送することができる（記録制御信号伝送構造の第２例）。即ち、ＤＶＩ処理のためのルックアップテーブルでは、映像信号のための制御信号に関するデフォルト（標準設定）の予約符号の他に、規格外の余った符号があり、この符号を利用する。例えば、４ビット（実際には８ビット等）の場合は次の表１（ルックアップテーブル）のように１６項目の符号を作ることができ、この中の１０項目がデフォルトの予約符号であるとすると、その他の６項目の符号が余っていることになる。そこで、実施例では、記録制御信号として、例えば１１項目の符号に録画開始、１２項目の符号に録画停止、１３項目の符号に録画一時停止（ＰＡＵＳＥ）を割り当てる。
【００３２】
【表１】
2005304584.tif 000003
【００３３】
そして、マイコン２４は録画・記録スイッチ１４からの上記記録制御信号を受けると、このパラレル信号をＤＶＩ回路２８の制御線Ｃ０〜Ｃ３を介して送信部４０Ａ〜４０Ｃへ出力するので、この送信部４０Ａ〜４０Ｃでは上記１１〜１３項目の符号化されたシリアル記録制御信号がシリアル伝送ケーブル４１を介してハイビジョン方式変換器３７へ送られる。一方、ハイビジョン方式変換器３７では、受信部４２Ａ〜４２Ｃで制御信号が復号化されると共にパラレル信号へ変換され、後段のＩＣＡ回路４３で１１〜１３項目の記録制御信号（ライン２００）が抽出され、これがマイコン４５へ入力される。その後、このマイコン４５がコントロール端子４９ｍを介して記録制御信号をＨＤＴＶ用レコーダへ供給することにより、ハイビジョン映像の録画が開始され、かつその停止、一時休止の制御が行われる。この第２例によれば、伝送ライン１０１を設ける必要がなく、シリアル伝送ケーブル４１内の信号線数を減らすことが可能となる。
【図面の簡単な説明】
【００３４】
【図１】本発明の実施例に係る電子内視鏡装置のＤＶＩ回路及びハイビジョン方式変換器の構成を示す回路ブロック図である。
【図２】実施例の電子内視鏡装置の全体構成を示す回路ブロック図である。
【図３】図１のハイビジョン方式変換器内におけるＨＤＴＶ信号変換部の構成を示す図である。
【図４】実施例のＤＶＩ回路とハイビジョン方式変換器を接続する差動形回路としてパルストランスを用いた場合の構成を示す回路図である。
【図５】実施例の上記差動形回路としてコンデンサを用いた場合の構成を示す回路図である。
【図６】実施例のハイビジョン方式変換器で行われる１２８０×９６０の映像信号の画素数検出［図（Ａ）］、ハイビジョンテレビ信号への変換及び表示状態［図（Ｂ），（Ｃ）］を示す説明図である。
【符号の説明】
【００３５】
１０…電子内視鏡、      １６…プロセッサ装置、
２４，４５…マイコン、  ２７…第４ＤＳＰ、
２８…ＤＶＩ回路（差動信号出力部）、
３７…ハイビジョン方式変換器、
４１…シリアル伝送ケーブル、
４４…ＨＤＴＶ（ハイビジョンテレビ）信号変換部、
４４ａ…画素数検出回路、
４４ｃ…メモリコントローラ、
４６…フレームメモリ、  ５４…パルストランス、
５８ａ，５８ｂ…コンデンサ。
【図１】
2005304584.tif 000004
【図２】
2005304584.tif 000005
【図３】
2005304584.tif 000006
【図４】
2005304584.tif 000007
【図５】
2005304584.tif 000008
【図６】
2005304584.tif 000009